(57)【要約】【課題】表示装置の表示画面に表示される立体画像を劣化させずに撮像する。【解決手段】表示装置が両眼視差に対応する左眼用画像と右眼用画像をフレーム単位で交互に表示画面に表示する際に、前記表示画面を撮像する撮像部と、前記左目用画像と前記右眼用画像の表示切替信号を前記表示装置から受信する受信部と、前記撮像部への露光を調整するシャッター部と、前記受信部が受信した前記表示切替信号に基づいて、前記シャッター部の駆動タイミングを前記表示装置の表示切替タイミングに同期するように制御し、前記表示画面に表示される前記左眼用画像と前記右眼用画像を前記撮像部に分離して撮像させる制御部とを備える。【選択図】図３
2012114825.tif 000002
【特許請求の範囲】
【請求項１】
表示装置が両眼視差に対応する左眼用画像と右眼用画像をフレーム単位で交互に表示画面に表示する際に、前記表示画面を撮像する撮像部と、
前記左目用画像と前記右眼用画像の表示切替信号を前記表示装置から受信する受信部と、
前記撮像部への露光を調整するシャッター部と、
前記受信部が受信した前記表示切替信号に基づいて、前記シャッター部の駆動タイミングを前記表示装置の表示切替タイミングに同期するように制御し、前記表示画面に表示される前記左眼用画像と前記右眼用画像を前記撮像部に分離して撮像させる制御部と
を備える、撮像装置。
【請求項２】
単眼レンズを更に備え、
前記撮像部は、前記単眼レンズを介して前記表示画面に表示される前記左眼用画像と前記右眼用画像を分離して撮像する、請求項１に記載の撮像装置。
【請求項３】
前記制御部は、前記左眼用画像と前記右眼用画像の両方を撮像する３次元撮像モードと、単一画像を撮像する２次元撮像モードのいずれかを実行可能であり、
前記表示装置による表示が終了すると、前記制御部は、前記３次元撮像モードから前記２次元撮像モードに移行する、請求項１又は２に記載の撮像装置。
【請求項４】
前記撮像部が撮像した前記左眼用画像と前記右眼用画像を分離して記憶する記憶部を更に備える、請求項１〜３のいずれか１項に記載の撮像装置。
【請求項５】
両眼視差に対応する左眼用画像と右眼用画像をフレーム単位で交互に表示画面に表示する表示装置と、
前記表示画面を撮像する撮像部を有する撮像装置と
を備え、
前記表示装置は、前記左目用画像と前記右眼用画像の表示切替信号を送信する送信部を有し、
前記撮像装置は、
前記送信部が送信した前記表示切替信号を受信する受信部と、
前記撮像部への露光を調整するシャッター部と、
前記受信部が受信した前記表示切替信号に基づいて、前記シャッター部の駆動タイミングを前記表示装置の表示切替タイミングに同期するように制御し、前記表示画面に表示される前記左眼用画像と前記右眼用画像を前記撮像部に分離して撮像させる制御部と
を更に有する、撮像システム。
【請求項６】
表示装置がフレーム単位で交互に表示画面に表示する両眼視差に対応する左眼用画像と右眼用画像の表示切替信号を、撮像装置が前記表示装置から受信するステップと、
受信した前記表示切替信号に基づいて、前記撮像装置のシャッタータイミングを前記表示装置の表示切替タイミングに同期するように制御し、前記表示画面に表示される前記左眼用画像と前記右眼用画像を前記撮像装置が分離して撮像するステップと
を有する、撮像方法。
【発明の詳細な説明】
【技術分野】
【０００１】
本発明は、撮像装置、撮像システム及び撮像方法に関する。
【背景技術】
【０００２】
撮像装置として、例えば、撮像素子を有し、人や風景等の被写体を撮像するデジタルカメラが知られている。このような撮像装置を用いて、テレビ等の表示装置の表示画面を撮像するニーズが存在する。
【０００３】
上記の表示装置に関して、立体画像を表示させる表示装置の開発が進められている。このような表示装置は、例えば両眼視差に対応する左眼用画像と右眼用画像をフレーム単位で交互に表示画面に表示することで、立体画像を表示する（いわゆるフレームシーケンシャル方式）。かかる際に、ユーザーは、シャッター付きの専用眼鏡を利用して、表示画面に表示される左眼用画像と右眼用画像を見ることで、表示される立体画像を知覚できる（特許文献１参照）。
【先行技術文献】
【特許文献】
【０００４】
【特許文献１】特開２０１０−９３７４０号公報
【発明の概要】
【発明が解決しようとする課題】
【０００５】
ところで、従来においては、表示画面に表示される立体画像を撮像装置により撮像することについては、考慮されていなかった。このため、立体画像を表示する表示画面を撮像装置により撮像する場合には、左眼用画像と右眼用画像が混合して劣化した画像が撮影されるという問題があった。
【０００６】
そこで、本発明は、上記問題に鑑みてなされたものであり、本発明の目的とするところは、表示装置の表示画面に表示される立体画像を劣化させずに撮像することが可能な、新規かつ改良された撮像装置、撮像システム及び撮像方法を提供することにある。
【課題を解決するための手段】
【０００７】
上記課題を解決するために、本発明のある観点によれば、表示装置が両眼視差に対応する左眼用画像と右眼用画像をフレーム単位で交互に表示画面に表示する際に、表示画面を撮像する撮像部と、左目用画像と右眼用画像の表示切替信号を表示装置から受信する受信部と、撮像部への露光を調整するシャッター部と、受信部が受信した表示切替信号に基づいて、シャッター部の駆動タイミングを表示装置の表示切替タイミングに同期するように制御し、表示画面に表示される左眼用画像と右眼用画像を撮像部に分離して撮像させる制御部とを備える、撮像装置が提供される。
【０００８】
かかる構成によって、表示装置から受信した表示切替信号に基づいてシャッター部の駆動タイミングを表示装置の表示切替タイミングに同期するように制御するので、撮像素子が左眼用画像と右眼用画像を混合して撮像することを防止でき、左眼用画像と右眼用画像を独立に撮像できる。このため、表示装置の表示画面に表示される立体画像を劣化させずに撮像できる。
【０００９】
また、撮像装置は単眼レンズを更に備え、撮像部は、単眼レンズを介して表示画面に表示される左眼用画像と右眼用画像を分離して撮像する。かかる構成によって、単眼レンズを用いて撮像するので、簡単な構成にて左眼用画像と右眼用画像を独立して撮像できると共に、単一の視点で撮像するので撮像装置による視差の影響が及ばない。
【００１０】
また、制御部は、左眼用画像と右眼用画像の両方を撮像する３次元撮像モードと、単一画像を撮像する２次元撮像モードのいずれかを実行可能であり、表示装置による表示が終了すると、制御部は、３次元撮像モードから２次元撮像モードに移行する。かかる構成によって、表示装置による表示が終了すると３次元撮像モーとから２次元撮像モードへ自動的に移行するので、ユーザーによるモード切替操作が不要となり、撮像装置の操作性を向上させることができる。
【００１１】
また、撮像装置は、撮像部が撮像した左眼用画像と右眼用画像を分離して記憶する記憶部を更に備える。かかる構成によって、分離して記憶された左眼用画像と右眼用画像の一方のみを再生できるので、画質劣化されていない２次元画像として再生できる。
【００１２】
また、上記課題を解決するために、本発明の別の観点によれば、両眼視差に対応する左眼用画像と右眼用画像をフレーム単位で交互に表示画面に表示する表示装置と、表示画面を撮像する撮像部を有する撮像装置とを備え、表示装置は、左目用画像と右眼用画像の表示切替信号を送信する送信部を有し、撮像装置は、送信部が送信した表示切替信号を受信する受信部と、撮像部への露光を調整するシャッター部と、受信部が受信した表示切替信号に基づいて、シャッター部の駆動タイミングを表示装置の表示切替タイミングに同期するように制御し、表示画面に表示される左眼用画像と右眼用画像を撮像部に分離して撮像させる制御部とを更に有する、撮像システムが提供される。
【００１３】
また、上記課題を解決するために、本発明の更に別の観点によれば、表示装置がフレーム単位で交互に表示画面に表示する両眼視差に対応する左眼用画像と右眼用画像の表示切替信号を、撮像装置が表示装置から受信するステップと、受信した表示切替信号に基づいて、撮像装置のシャッタータイミングを表示装置の表示切替タイミングに同期するように制御し、表示画面に表示される左眼用画像と右眼用画像を撮像装置が分離して撮像するステップとを有する撮像方法が提供される。
【発明の効果】
【００１４】
以上説明したように本発明によれば、表示装置の表示画面に表示される立体画像を劣化させずに撮像することができる。
【図面の簡単な説明】
【００１５】
【図１】表示システム１を示すブロック図である。
【図２】左眼用画像と右眼用画像の表示と、シャッター付き眼鏡２０のシャッター動作との関係を説明するための図である。
【図３】撮像装置１００の内部構成を示すブロック図である。
【図４】左眼用画像と右眼用画像が混合して撮影された状態を示す図である。
【図５】表示画面１１に表示される３次元画像を静止画として撮影する際の撮像装置１００の動作を説明するためのフローチャートである。
【図６】表示画面１１に表示される３次元画像を静止画として撮影する際の撮像装置１００の動作を説明するためのフローチャートである。
【発明を実施するための形態】
【００１６】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１７】
＜表示システムの概要＞
まず、図１を参照して、表示システム１の概要について説明する。図１は、表示システム１を示すブロック図である。
【００１８】
表示システム１は、２次元画像に加えて３次元画像を表示可能である。表示システム１は、表示される３次元画像をユーザーに知覚させると共に、表示される３次元画像を画質を劣化させずに撮像できるシステムである。表示システム１は、表示装置１０と、シャッター付き眼鏡２０と、撮像装置１００を有する。
【００１９】
表示装置１０は、例えばディスプレイであり、２次元画像と３次元画像を表示する。この表示装置１０は、表示画面１１と、送信部１２を有する。３次元画像を表示する際には、表示画面１１には、両眼視差に対応する左眼用画像と右眼用画像がフレーム単位で交互に表示される。送信部１２は、３次元画像を構成する左目用画像と右眼用画像の表示切替信号をシャッター付き眼鏡２０や撮像装置１００に送信する。この表示切替信号は、表示装置１０内部で生成され、例えば赤外線通信等の無線通信で送信される。
【００２０】
シャッター付き眼鏡２０は、表示装置１０の表示画面１１に表示される３次元画像をユーザーが知覚するためのものである。このシャッター付き眼鏡２０は、受信部２１と、液晶シャッター２２を有する。受信部２１は、表示装置１０の送信部１２が送信した表示切替信号を受信する。液晶シャッター２２は、開閉可能な２つの液晶シャッターを有し、受信部２１が受信した表示切替信号に基づいて、２つの液晶シャッターの開閉動作が制御される。具体的には、２つの液晶シャッターの切替タイミングが、表示画面の表示切替タイミングに同期するように、２つの液晶シャッターの開閉動作が制御される。
【００２１】
ここで、左眼用画像と右眼用画像の表示について、図２を参照しながら説明する。図２は、左眼用画像と右眼用画像の表示と、シャッター付き眼鏡２０のシャッター動作との関係を説明するための図である。図２では、左眼用画像Ｌと右眼用画像Ｒが交互に表示されている。そして、左眼用画像Ｌと右眼用画像Ｒの表示に合わせて、２つの液晶シャッター２２ａ、２２ｂが開閉される。例えば、液晶シャッター２２ａは、左眼用画像が表示される際に開状態になり、液晶シャッター２２ｂは、右眼用画像が表示される際に開状態となる。このように、２つの液晶シャッター２２ａ、２２ｂの開閉動作を制御することで、シャッター付き眼鏡２０をかけて表示画面１１を見るユーザーは、３次元画像を知覚できる。
【００２２】
撮像装置１００は、表示画面１１に表示された２次元画像又は３次元画像を撮像する。また、撮像装置１００は、表示装置１０と赤外線等で通信可能である。撮像装置１００は、３次元画像を撮像する際には、送信部１２から送信される表示切替信号に基づいて、左眼用画像と右眼用画像を分離して撮像する。この撮像装置１００の詳細構成については、後述する。
【００２３】
なお、上記では、撮像装置１００に送信される表示切替信号が、シャッター付き眼鏡２０に送信される表示切替信号と同一であることとしたが、これに限定されず、異なることとしても良い。ただし、シャッター付き眼鏡２０と撮像装置１００に送信される表示切替信号が同一である場合には、表示装置１０が異なる信号を生成する必要が無いので、システムの簡略化に寄与できる。
【００２４】
また、表示システム１は、シャッター付き眼鏡２０を含むこととしたが、これに限定されず、シャッター付き眼鏡２０を含まないこととしても良い。本実施形態の表示装置１０と撮像装置１００の組み合わせが、撮像システムに該当する。
【００２５】
＜撮像装置の構成＞
次に、図３を参照して、撮像装置１００の構成について説明する。図３は、撮像装置１００の内部構成を示すブロック図である。
【００２６】
撮像装置１００は、例えば静止画像を撮影できるデジタルカメラ、又は動画像を撮影できるビデオカメラである。もちろん、デジタルカメラが、静止画像と動画像を両方撮影することとしても良い。
【００２７】
撮像装置１００は、図３に示すように、レンズ１１２と、シャッター部の一例であるシャッター１１４と、撮像部の一例である撮像素子１１６と、画像信号処理部１２０と、圧縮処理部１３０と、制御部の一例であるＣＰＵ１４０と、メモリ１４２と、モニター１５０と、記憶部の一例である記録メディア１６０と、操作部１７０と、受信部の一例である通信部１８０等を有する。
【００２８】
レンズ１１２は、外部の光情報を撮像素子１１６に結像させる光学系システムであり、被写体からの光を撮像素子１１６まで透過させる。レンズ１１２は、図示しないが、例えばズームレンズ、絞り、フォーカスレンズなどからなる。ズームレンズは、焦点距離を変化させて画角を変えるレンズである。絞りは、透過する光量を調節する。フォーカスレンズは、光軸方向に移動することで撮像素子１１６の撮像面に被写体像を合焦させる。
【００２９】
シャッター１１４は、撮像素子１１６の露光を制御するためのものである。シャッター１１４は、例えばメカニカルシャッターであり、非撮影時に光を遮って撮影時のみ撮像素子１１６に光が当たるように構成されている。なお、シャッター１１４は、メカニカルシャッターに限定されず、電子シャッターであっても良い。なお、シャッター１１４の駆動タイミングは、表示装置１０から受信した表示切替信号に基づいて、表示画面１１の表示切替タイミングに同期するように、制御される。
【００３０】
撮像素子１１６は、光電変換素子の一例であり、レンズ１１２を透過して入射した光情報を電気信号に変換する光電変換が可能な複数の素子から構成される。各素子は受光した光量に応じた電気信号を生成する。撮像素子１１６として、ＣＣＤ（Charge  Coupled  Device）イメージセンサー、ＣＭＯＳ（Complementary  Metal  Oxide  Semiconductor）イメージセンサー等を適用することができる。
【００３１】
撮像素子１１６は、更にＣＤＳ／ＡＭＰ部、Ａ／Ｄ変換部を有する。ＣＤＳ／ＡＭＰ部（相関二重サンプリング回路（Correlated  Double  Sampling）／増幅器（Amplifier））は、撮像素子１１６から出力された電気信号に含まれるリセットノイズとアンプノイズを除去すると共に、電気信号を任意のレベルまで増幅する。Ａ／Ｄ変換部は、ＣＤＳ／ＡＭＰ部から出力された電気信号をデジタル変換してデジタル信号を生成する。Ａ／Ｄ変換部は、生成したデジタル信号を画像信号処理部１２０に出力する。
【００３２】
画像信号処理部１２０は、撮像素子１１６から得られる画像の生データに対して、光量のゲイン補正やホワイトバランスを調整する。なお、画像信号処理部１２０は、撮像素子１１６の画素欠陥補正、黒レベル補正、シェーディング補正などの処理も行う。
【００３３】
圧縮処理部１３０は、画像信号処理部１２０で光量のゲイン補正やホワイトバランスの調整が行われた画像を、適切な形式の画像データに圧縮する。圧縮処理部１３０は、例えばＪＰＥＧ（Joint  Photographic  Experts  Group）規格などの静止画像の符号化方式で圧縮符号化処理を行う。また、圧縮処理部１３０は、例えばＭＰＥＧ形式などで符号化処理をして、複数の画像フレームが一つのファイルとして纏められたストリームデータを生成する。
【００３４】
ＣＰＵ１４０は、プログラムによって演算処理装置及び制御装置として機能し、撮像装置１００内に設けられた各構成要素の処理を制御する。ＣＰＵ１４０は、例えば、シャッター１１４の開閉動作（駆動タイミング）を制御する。メモリ１４２は、ＣＰＵ１４０が実行するプログラムや、各種データ（例えば画像データ）等を記憶する。
【００３５】
モニター１５０は、画像を表示する。モニター１５０が表示する画像は、例えば、メモリ１４２から読み出された撮影前の画像（ライブビュー表示）、撮像装置１００の各種設定画面や、撮像して記録された画像などである。モニター１５０は、例えば液晶ディスプレイ、有機ＥＬディスプレイなどである。
【００３６】
記録メディア１６０は、本実施形態ではメモリカードであり、撮影された画像データを記録する。記録メディア１６０は、撮像装置１００から着脱可能に構成されている。なお、記録メディア１６０は、メモリカードに限定されず、光ディスク（ＣＤ、ＤＶＤ、ブルーレイディスク等）、光磁気ディスクなどでもよい。
【００３７】
操作部１７０は、撮像装置１００の操作を行ったり、撮影時の各種の設定を行ったりするためのものである。操作部１７０は、電源ボタン、撮影モードを選択する選択ボタン、被写体の撮影動作を開始するシャッターボタン、十字キー等を含む。
【００３８】
通信部１８０は、無線通信（例えば赤外線通信）で表示装置１０と通信する。通信部１８０は、送信部１２から送信される表示切替信号を受信する。なお、通信部１８０は、無線通信に限定されず、ケーブル等を介して表示装置１０と有線通信することとしても良い。
【００３９】
＜撮像装置の動作＞
本実施形態に係る撮像装置１００は、３次元画像を表示する表示画面１１を撮影する際には、送信部１２から送信された表示切替信号に基づいて、３次元画像を構成する左眼用画像と右眼用画像を分離して撮像する。具体的には、撮像装置１００は、受信した表示切替信号に基づいて、シャッター１１４の駆動タイミングを左眼用画像と右眼用画像の表示切替タイミングに同期させることで、撮像素子１１６が左眼用画像と右眼用画像を分離して撮像する。
【００４０】
これにより、図４に示すような左眼用画像と右眼用画像が混合した状態の劣化画像が撮影されることを防止できる。また、左眼用画像と右眼用画像を分離しておくことで、３次元画像を再生する際に撮像した左眼用画像と右眼用画像を用いれば、画質を維持したまま再生できる。なお、図４は、左眼用画像と右眼用画像が混合して撮影された状態を示す図である。
【００４１】
以下においては、３次元画像が表示される際に左眼用画像と右眼用画像を分離して撮像する際の撮像装置１００の具体的な動作を説明する。なお、本実施形態に係る撮像装置１００は、静止画又は動画を撮影可能である。そこで、３次元画像を静止画として撮影する際の撮像装置１００の動作を説明した後に、３次元画像を動画として撮影する際の撮像装置１００の動作について説明する。
【００４２】
（静止画撮影時の撮像装置の動作）
図５は、表示画面１１に表示される３次元画像を静止画として撮影する際の撮像装置１００の動作を説明するためのフローチャートである。
【００４３】
図５のフローチャートは、表示装置１０が、表示画面１１に左眼用画像と右眼用画像を交互にフレーム単位で表示して、３次元画像を表示しているときから開始される。なお、３次元画像の表示に伴い、表示装置１０の送信部１２が表示切替信号を送信しているものとする。この表示切替信号は、シャッター付き眼鏡２０及び撮像装置１００が受信可能な信号である。
【００４４】
まず、通信部１８０は、送信部１２から送信された表示切替信号を受信する（ステップＳ２）。なお、通信部１８は、表示装置１０との通信中は、継続して表示切替信号を受信する。
【００４５】
次に、ＣＰＵ１４０は、静止画撮影のために操作部１７０のシャッターボタンが押下されたか否かを判定する（ステップＳ４）。そして、ユーザーによってシャッターボタンが押下された場合には（ステップＳ４：Ｙｅｓ）、ＣＰＵ１４０は、シャッター１１４の駆動を制御することで、撮像素子１１６に左眼用画像と右眼用画像の１組の画像のうち一方の画像（ここでは、右眼用画像とする）を撮像させる（ステップＳ６）。
【００４６】
具体的には、ＣＰＵ１４０は、左眼用画像と右眼用画像の表示切替タイミングに同期するように、シャッター１１４の駆動タイミングを制御する。ここでは、シャッターボタン押下直後の左眼用画像から右眼用画像への表示切り替えタイミング時に、シャッター１１４を開状態にすることで、撮像素子１１６は表示画面１１に表示された右眼用画像のみを撮像する。
【００４７】
次に、ＣＰＵ１４０は、右眼用画像から左眼用画像の表示切替タイミング時に、シャッター１１４を開状態にすることで、撮像素子１１６は表示画面１１に表示された左眼用画像のみを撮像する（ステップＳ８）。このように、シャッターボタンが押下されると、左眼用画像と右眼用画像が分離して撮像されるので、撮像された画像データが左眼用画像と右眼用画像を混合した状態を回避できる。
【００４８】
画像信号処理部１２０は、分離して撮像された左眼用画像と右眼用画像を調整する（ステップＳ１０）。例えば、撮影条件によって左眼用画像と右眼用画像の明るさに差がある場合には、画像信号処理部１２０は２つの画像を調整する。調整方法として、例えば、画像の全画面のエネルギー比に応じてゲインを掛ける方法を適用できる。なお、全画面では無く、面の中心から例えば３０％の平均を用いても良く、かかる場合には処理時間を短縮できる。
【００４９】
次に、ＣＰＵ１４０は、表示画面１１に表示された３次元画像を、左眼用画像と右眼用画像に分離して記録メディア１６０に記憶させる（ステップＳ１２）。このように分離して記憶することで、３次元画像としての再生する際に画質が劣化する恐れが無い。また、分離した記憶された左眼用画像と右眼用画像の一方を２次元画像として利用できるので、撮像した３次元画像の利用範囲を広げられる。
【００５０】
左眼用画像と右眼用画像を分離して記憶することで、静止画撮影の処理が終了する。なお、上述したステップＳ１０の画像調整は、左眼用画像と右眼用画像を記録メディア１６０に記憶させた後に、独立して実行されても良い。
【００５１】
（動画撮影時の撮像装置の動作）
図６は、表示画面１１に表示される３次元画像を静止画として撮影する際の撮像装置１００の動作を説明するためのフローチャートである。
【００５２】
図６のフローチャートは、表示装置１０が、表示画面１１に左眼用画像と右眼用画像を交互にフレーム単位で表示して、３次元画像を表示しているときから開始される。なお、３次元画像の表示に伴い、表示装置１０の送信部１２が表示切替信号を送信しているものとする。
【００５３】
通信部１８０は、送信部１２が送信した表示切替信号を受信する（ステップＳ１０２）。次に、ＣＰＵ１４０は、動画撮影のために操作部１７０のシャッターボタンが押下されたか否かを判定する（ステップＳ１０４）。そして、ユーザーによってシャッターボタンが押下された場合には（ステップＳ１０４：Ｙｅｓ）、ＣＰＵ１４０は、シャッター１１４の駆動タイミングを制御することで、撮像素子１１６に３次元画像を構成する左眼用画像と右眼用画像を分離して撮像させる（ステップＳ６、Ｓ８）。これにより、動画撮影の際にも、表示装置１０に表示される３次元画像を構成する左眼用画像と右眼用画像を分離して撮像できる。
【００５４】
なお、図６のステップＳ１０６〜Ｓ１１２は、図５のステップＳ６〜Ｓ１２と同一であるため、詳細な説明は省略する。
【００５５】
ステップＳ１１２で左眼用画像と右眼用画像が分離して記録メディア１６０に記憶されると、ＣＰＵ１４０は、動画撮影を終了するか否かを判定する（ステップＳ１１４）。ここで、動画撮影の終了は、ユーザーによる終了操作に応じて実行されても良いが、表示装置１０による３次元画像の表示が終了すると実行されても良い。
【００５６】
動画撮影を継続する場合には（ステップＳ１１４：Ｎｏ）、ステップＳ１０６〜Ｓ１１２の処理が繰り返される。つまり、動画撮影の際に、撮像装置１００は左眼用画像と右眼用画像を分離して撮像し続ける。一方で、３次元画像の表示が終了して動画撮影を終了する場合には（ステップＳ１１４：Ｙｅｓ）、ＣＰＵ１４０は、左眼用画像と右眼用画像を分離して撮像する３次元撮像モードから、単一画像を撮像する２次元撮像モードに移行する（ステップＳ１１６）。これにより、その後の通常の撮像のために、ユーザーがモードを切り替える操作が不要となる。
【００５７】
＜本実施形態に係る撮像装置の有効性＞
以上説明したように、本実施形態に係る撮像装置１００によれば、３次元画像を表示する表示画面１１を撮影する際に、３次元画像を構成する左眼用画像と右眼用画像を分離して撮像することにより、左眼用画像と右眼用画像が混合して劣化した画像を撮影することを防止できる。
【００５８】
また、左眼用画像と右眼用画像を分離して記録メディア１６０に記憶させることで、撮影した３次元画像から左眼用画像又は右眼用画像を抽出して２次元画像として活用することも可能となる。更に、シャッター付き眼鏡２０に送信される表示切替信号を用いてシャッター１１４の駆動を制御するので、表示装置１０の構成を変更する必要も無く、従来のシステムを有効活用できる。
【００５９】
また、上記では、表示装置１０は左眼用画像と右眼用画像を順次切り替えることとしたが、これに限定されない。例えば、左眼用（右眼用）画像から右眼用（左眼用）画像に表示を切り替える途中に黒い画像を表示することとしても良い。かかる場合でも、表示切替信号に基づいて右眼用画像と左眼用画像を分離して撮像すれば良い。
【００６０】
＜その他の実施形態＞
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００６１】
また、上記の実施形態で撮像装置としてデジタルカメラを例に挙げて説明したが、これに限定されない。例えば、撮像装置は、撮像素子を有する携帯電話機、ＰＤＡ、ゲーム機、電子辞書、ノートパソコン等であっても良い。
【００６２】
また、上記の実施形態で撮像装置は表示装置と赤外線通信により信号を受信することとしたが、これに限定されない。例えば、Bluetooth（ブルートゥース）等の他の近距離無線通信であっても良い。
【００６３】
また、上記の実施形態で説明した一連の処理は、専用のハードウエアにより実行させてもよいが、ソフトウエア（アプリケーション）により実行させてもよい。一連の処理をソフトウエアにより行う場合、汎用又は専用のコンピュータにプログラムを実行させることにより、上記の一連の処理を実現することができる。
【００６４】
また、上記の実施形態では、表示装置は、フレームシーケンシャル方式で立体画像を構成する左眼用画像と右眼用画像を交互に表示することとしたが、これに限定されない。例えば、表示装置は、視点が異なるユーザーに向けて異なる複数の画像（例えば、第１画像と第２画像）を交互に表示させることとしても良い。例えば、第１画像は、一のユーザーのみによって視認され、第２画像は、他のユーザーのみによって視認される。かかる場合にも、撮像装置は、表示装置が表示する異なる複数の画像を分離して撮像することができる。
【００６５】
また、上記の実施形態のフローチャートに示されたステップは、記載された順序に沿って時系列的に行われる処理はもちろん、必ずしも時系列的に処理されなくとも、並列的に又は個別的に実行される処理をも含む。また時系列的に処理されるステップでも、場合によっては適宜順序を変更することが可能であることは言うまでもない。
【符号の説明】
【００６６】
１    表示システム
１０    表示装置
１１    表示画面
１２    送信部
２０    シャッター付き眼鏡
２１    受信部
２２    液晶シャッター
１００    撮像装置
１１２    レンズ
１１４    シャッター
１１６    撮像素子
１２０    画像信号処理部
１３０    圧縮処理部
１４０    ＣＰＵ
１４２    メモリ
１５０    モニター
１６０    記録メディア
１７０    操作部
１８０    通信部
【図１】
2012114825.tif 000003
【図２】
2012114825.tif 000004
【図３】
2012114825.tif 000005
【図４】
2012114825.tif 000006
【図５】
2012114825.tif 000007
【図６】
2012114825.tif 000008